(57)【要約】  帽子着用時における使用者の頭部の蒸れを十分に解消することができる帽子内換気装置を提供する。この帽子内換気装置（１）は、袋の形状に形成された袋状体（１０）と、袋状体（１０）の開放している端部の一部に設けられた、袋状体（１０）を頭部に装着するための装着手段（２０）と、袋状体（１０）に取り付けられた、外部の空気を袋状体（２０）の内部に取り込んで空気放出口（１３）から放出する送風手段（３０）と、送風手段（３０）を駆動するための電源手段と、袋状体（２０）の開放している端部に設けられた、空気放出口（１３）の間隔を略一定に保持する第一間隔保持手段（５０）とを備えている。使用者が帽子内換気装置（１）の上に帽子（Ｘ）を被ったときに、送風手段（３０）によって袋状体（２０）の内部に取り込まれた空気を空気放出口（１３）から帽子（Ｘ）内に導入することにより、帽子Ｘ内を換気する。
2015162695.tif 000002
【特許請求の範囲】
【請求項１】
上方が開放している袋の形状に形成された袋状体と、  前記袋状体の開放している端部の一部に設けられた、前記袋状体を使用者の頭部に装着するための装着手段と、  前記袋状体に取り付けられた、外部の空気を前記袋状体の内部に取り込んで前記袋状体の開放している端部の端縁で形成される空気放出口から放出する送風手段と、  前記送風手段を駆動するための電源手段と、  前記袋状体の開放している端部に設けられた、前記空気放出口の間隔を略一定に保持する放出口用間隔保持手段と、  を備え、  使用者が前記装着手段を用いて前記袋状体を使用者の頭部に装着した後、帽子を被ったときに、前記送風手段によって前記袋状体の内部に取り込まれた空気を前記空気放出口から前記帽子内に導入し、前記帽子内を換気することを特徴とする帽子内換気装置。
【請求項２】
前記装着手段は、使用者の頭部に巻き付けるためのベルトとそのベルトの両端部に設けられた二つの相互取着手段とを有するもの、又は、通気性を有する素材で作製された、使用者の頭部を覆うための帽状体であることを特徴とする請求項１記載の帽子内換気装置。
【請求項３】
前記装着手段を用いて前記袋状体を使用者の頭部に装着したときに頭部を介して前記袋状体と反対側に位置する前記装着手段の所定部位に設けられた、前記帽子内に導入された空気を外部に排出する空気排出口を形成するために前記装着手段の当該部位と前記帽子との間隔を略一定に保持する排出口用間隔保持手段を備えることを特徴とする請求項１又は２記載の帽子内換気装置。
【請求項４】
上方が開放している袋の形状に形成された袋状体と、  前記袋状体の開放している端部の一部に設けられた、前記袋状体を使用者の頭部に装着するための装着手段と、  前記袋状体の開放している端部のうち前記装着手段が設けられた部分と異なる部分であって前記袋状体を使用者の頭部に装着したときに外側に位置する部分に連なり、通気性を有しない素材で作製された、使用者の頭部を覆うための第一帽状体と、  前記第一帽状体と前記装着手段及び／又は使用者の頭部との間に空気を流通させる空間を形成するために前記第一帽状体と前記装着手段及び／又は使用者の頭部との間隔を略一定に保持する頭部用間隔保持手段と、  前記袋状体に取り付けられた、外部の空気を前記袋状体の内部に取り込んで前記袋状体の開放している端部の端縁で形成される空気放出口から放出する送風手段と、  前記送風手段を駆動するための電源手段と、  を備え、  使用者が前記第一帽状体を被ったときに、前記送風手段によって前記袋状体の内部に取り込まれた空気を前記空気放出口から前記第一帽状体内に導入し、前記第一帽状体内を換気することを特徴とする帽子内換気装置。
【請求項５】
前記装着手段は、前記袋状体の開放している端部のうち前記袋状体を使用者の頭部に装着したときに内側に位置する部分に連なり、通気性を有する素材で作製された、使用者の頭部を覆うための第二帽状体であることを特徴とする請求項４記載の帽子内換気装置。
【請求項６】
前記装着手段は、使用者の頭部に巻くための帯状のヘッドバンドであり、前記間隔保持手段は、前記ヘッドバンドに設けられたハンモックであることを特徴とする請求項４記載の帽子内換気装置。
【請求項７】
前記送風手段はプロペラファンであることを特徴とする請求項１乃至６のうちいずれか一項記載の帽子内換気装置。
【請求項８】
前記送風手段は前記袋状体に着脱自在に取り付けられていることを特徴とする請求項１乃至７のうちいずれか一項記載の帽子内換気装置。
【請求項９】
前記空気放出口の有効面積は前記送風手段の空気取込口の有効面積の少なくも７０％であることを特徴とする請求項１乃至８のうちいずれか一項記載の帽子内換気装置。
【発明の詳細な説明】
【技術分野】
【０００１】  本発明は、帽子の着用時にその帽子内に空気を送り込んで帽子内を換気するための帽子内換気装置に関するものである。
【背景技術】
【０００２】  夏の暑い時期には、特に紫外線対策として多くの人が帽子を着用している。しかしながら、帽子を着用すると頭部に風が当たりにくくなるため、頭部から出た汗は蒸発することができず、頭部が蒸れてしまう。この対策として、帽子の素材に目の粗いメッシュ状のもの等を使用し、これにより通気性の改善を図った帽子がある。しかしながら、このような帽子は、紫外線防止の観点からは実用的でない。また、帽子の頭頂部に孔を開け、この孔の下にファンを取り付けることにより、外気をファンから帽子内に取り込むという技術が提案されている（例えば特許文献１参照。）。
【先行技術文献】
【特許文献】
【０００３】
【特許文献１】登録実用新案第３１４７４６９号公報
【発明の概要】
【発明が解決しようとする課題】
【０００４】  しかしながら、上記特許文献１に記載された技術を適用して、帽子の頭頂部にファンを取り付けたのでは、次のような問題がある。第一に、個々の帽子にファンを取り付ける必要があり、その製作作業に手間がかかる。第二に、帽子にファンを取り付けたため、帽子の外観が著しく害されてしまう。第三に、ファンが取り付けられたところから太陽光が頭部に差し込んでしまう。第四に、雨が降っている状況では、ファンが雨を帽子内に積極的に取り込んでしまう。尚、太陽光が頭部に差し込んだり、雨が帽子内に入り込んだりしないような特別なファンを製造することは可能であるが、かかる特別なファンはコスト的観点及び消費電力の観点から実用的でない。【０００５】  このように、ファンを直接取り付けた帽子には多くの問題がある。そこで、既成の帽子に対して用いることができ、帽子着用時における使用者の頭部の蒸れを十分に解消することができる帽子内換気装置の実現が望まれている。【０００６】  本発明は上記事情に基づいてなされたものであり、既成の帽子に対して用いることができ、帽子着用時における使用者の頭部の蒸れを十分に解消することができる帽子内換気装置を提供することを目的とするものである。
【課題を解決するための手段】
【０００７】  上記の目的を達成するための第一発明に係る帽子内換気装置は、上方が開放している袋の形状に形成された袋状体と、袋状体の開放している端部の一部に設けられた、袋状体を使用者の頭部に装着するための装着手段と、袋状体に取り付けられた、外部の空気を袋状体の内部に取り込んで袋状体の開放している端部の端縁で形成される空気放出口から放出する送風手段と、送風手段を駆動するための電源手段と、袋状体の開放している端部に設けられた、空気放出口の間隔を略一定に保持する放出口用間隔保持手段と、を備え、使用者が装着手段を用いて袋状体を使用者の頭部に装着した後、帽子を被ったときに、送風手段によって袋状体の内部に取り込まれた空気を空気放出口から帽子内に導入し、帽子内を換気することを特徴とするものである。【０００８】  このように、第一発明に係る帽子内換気装置は、袋状体と、袋状体を使用者の頭部に装着するための装着手段と、空気を袋状体の内部に取り込んで袋状体の空気放出口から放出する送風手段と、空気放出口の間隔を略一定に保持する放出口用間隔保持手段とを備えることにより、この帽子内換気装置の上に例えば既成の帽子を被った場合、送風手段によって袋状体の内部に取り込まれた空気を袋状体の空気放出口から帽子内に導いて、帽子内を換気することができるので、使用者の頭部の蒸れを十分に解消することができる。【０００９】  上記の目的を達成するための第二発明に係る帽子内換気装置は、上方が開放している袋の形状に形成された袋状体と、袋状体の開放している端部の一部に設けられた、袋状体を使用者の頭部に装着するための装着手段と、袋状体の開放している端部のうち装着手段が設けられた部分と異なる部分であって袋状体を使用者の頭部に装着したときに外側に位置する部分に連なり、通気性を有しない素材で作製された、使用者の頭部を覆うための第一帽状体と、第一帽状体と装着手段及び／又は使用者の頭部との間に空気を流通させる空間を形成するために第一帽状体と装着手段及び／又は使用者の頭部との間隔を略一定に保持する頭部用間隔保持手段と、袋状体に取り付けられた、外部の空気を袋状体の内部に取り込んで袋状体の開放している端部の端縁で形成される空気放出口から放出する送風手段と、送風手段を駆動するための電源手段と、を備え、使用者が第一帽状体を被ったときに、送風手段によって袋状体の内部に取り込まれた空気を空気放出口から第一帽状体内に導入し、第一帽状体内を換気することを特徴とするものである。【００１０】  このように、第二発明に係る帽子内換気装置は、袋状体と、袋状体を使用者の頭部に装着するための装着手段と、袋状体の開放している端部のうち袋状体を使用者の頭部に装着したときに外側に位置する部分に連なり、通気性を有しない素材で作製された、使用者の頭部を覆うための第一帽状体と、第一帽状体と装着手段及び／又は使用者の頭部との間隔を略一定に保持する頭部用間隔保持手段と、空気を袋状体の内部に取り込んで袋状体の空気放出口から放出する送風手段とを備えることにより、送風手段によって袋状体の内部に取り込まれた空気を袋状体の空気放出口から第一帽状体内に導いて、第一帽状体内を換気することができるので、使用者の頭部の蒸れ���十分に解消することができる。尚、この第一帽状体の上に既成の帽子を被るようにしてもよい。
【発明の効果】
【００１１】  本発明に係る帽子内換気装置によれば、送風手段によって袋状体の内部に取り込まれた空気を袋状体の空気放出口から帽子又は第一帽状体内に導いて、帽子又は第一帽状体内を換気することができるので、使用者の頭部の蒸れを十分に解消することができる。
【図面の簡単な説明】
【００１２】
【図１】図１（ａ）は本発明の第一実施形態である帽子内換気装置の概略正面図、図１（ｂ）はその帽子内換気装置の概略裏面図である。
【図２】図２（ａ）はその帽子内換気装置の概略平面図、図２（ｂ）はその帽子内換気装置のＡ−Ａ矢視方向概略断面図である。
【図３】図３（ａ）はその帽子内換気装置の袋状体の概略正面図、図３（ｂ）はその袋状体の概略平面図である。
【図４】図４はその帽子内換気装置の送風手段の概略側面図である。
【図５】図５（ａ）は第一実施形態の帽子内換気装置を使用者の頭部に装着したときの様子を示す概略側面図、図５（ｂ）はその帽子内換気装置の上に帽子を被ったときの様子を示す概略側面図である。
【図６】図６は第一実施形態の変形例である帽子内換気装置を使用者の頭部に装着したときの様子を示す概略側面図である。
【図７】図７は第二実施形態である帽子内換気装置を使用者の頭部に装着したときの様子を示す概略側面図である。
【図８】図８は第二実施形態の第一変形例である帽子内換気装置を使用者の頭部に装着したときの様子を示す概略側面図である。
【図９】図９は第二実施形態の第二変形例である帽子内換気装置の概略底面図である。
【発明を実施するための形態】
【００１３】  以下に、図面を参照して、本願に係る発明を実施するための形態について説明する。
【００１４】［第一実施形態］  まず、本発明の第一実施形態である帽子内換気装置について説明する。図１（ａ）は本発明の第一実施形態である帽子内換気装置の概略正面図、図１（ｂ）はその帽子内換気装置の概略裏面図である。図２（ａ）はその帽子内換気装置の概略平面図、図２（ｂ）はその帽子内換気装置のＡ−Ａ矢視方向概略断面図である。図３（ａ）はその帽子内換気装置の袋状体の概略正面図、図３（ｂ）はその袋状体の概略平面図である。
【００１５】  第一実施形態の帽子内換気装置は、使用者の頭部に装着した後にその上に帽子を被った状態で使用されるものである。図１及び図２に示すように、この帽子内換気装置１は、袋状体１０と、装着手段２０と、送風手段３０と、電源手段４０と、第一間隔保持手段５０と、第二間隔保持手段６０と、空気漏れ防止手段７０とを備える。
【００１６】  袋状体１０は、図１、図２及び図３に示すように、二つの案内シート、すなわち第一案内シート１１と第二案内シート１２とを用いて上方が開放している袋の形状に形成されたものである。第一案内シート１１及び第二案内シート１２はともに、通気性の小さな素材で作製されている。この素材としては、例えば、綿、混紡、ポリエステル等、さまざまな素材を用いることができる。第一実施形態では、第一案内シート１１及び第二案内シート１２として、目の詰まったポリエステルの布を使用することにする。
【００１７】  第一案内シート１１は、図３（ａ）に示すように、その横幅が下方に行くにしたがって狭くなるような略台形状に形成されている。この第一案内シート１１の下部には、送風手段３０を取り付けるための開口孔１５が形成されている。そして、開口孔１５の周囲における第一案内シート１１の端部には、送風手段３０を着脱自在に取り付けるための面状ファスナー１６が縫い付けられている。また、第一案内シート１１の上端部の所定箇所には、約１ｃｍ程度の切り込み１７が入れられている。この切り込み１７は、図１（ａ）に示すように、送風手段３０に接続されたケーブル４１を袋状体１０の内側から外側に引き出すためのものである。一方、第二案内シート１２は、図１（ｂ）に示すように、第一案内シート１１と略同様な形状に形成されている。但し、この第二案内シート１２には、第一案内シート１１と異なり、開口孔１５及び切り込み１７は形成されていない。第一案内シート１１と第二案内シート１２とを重ね合わせ、それらの下端部及び両側端部をそれぞれ縫合することにより、図３に示すような袋状体１０が作製される。尚、袋状体１０を使用者の頭部に装着する際には、第二案内シート１２が首筋と対向し、第一案内シート１１が外側を向くように袋状体１０が配置される。
【００１８】  袋状体１０の開放している端部の端縁で形成される部位は、図３（ｂ）に示すように、空気放出口１３となる。第一実施形態では、図２に示すように、袋状体１０の開放している端部に第一間隔保持手段（放出口用間隔保持手段）５０を設けている。この第一間隔保持手段５０は、空気放出口１３の間隔を略一定に保持する役割を果たす。第一間隔保持手段５０としては、耐圧性を有するスペーサを用いることができる。具体的に、この耐圧性を有するスペーサは、枠状部を有する多数の凸部と、隣り合う枠状部を連結する可撓連結部とを備えている。かかるスペーサの構造については、例えば特許第４０６７０３４号公報に記載されている。このため、このスペーサについての詳細な説明を省略する。また、このスペーサは、耐圧性を有するという特徴に加えて、空気が当該スペーサを通過しても空気が受ける抵抗が少なく、しかも、十分な柔軟性を有するという特徴がある。
【００１９】  第一間隔保持手段５０としてのスペーサを袋状体１０の開放している端部に取り付けるには、まず、そのスペーサを第一案内シート１１の上端部と第二案内シート１２の上端部との間に配置し、その後、スペーサと第一案内シート１１の上端部とを縫い付けると共に、スペーサと第二案内シート１２の上端部とを縫い付ければよい。第一間隔保持手段５０として耐圧性を有するスペーサを用いたことにより、帽子を被ったときに空気放出口１３がその帽子から力を受けたとしても、空気放出口１３の間隔が狭くなってしまうのを防止することができる。
【００２０】  装着手段２０は、袋状体１０を使用者の頭部に装着するためのものであり、図１及び図２に示すように、袋状体１０の開放している端部の一部に設けられている。具体的に、第一実施形態では、装着手段２０として、使用者の頭部に巻き付けるための帯状のベルト２１と、そのベルト２１の両端部に設けられた二つの面状ファスナー（相互取着手段）２２，２２とを有するものを用いている。ベルト２１の中央部は第二案内シート１２の上端部に縫い付けられている。ベルト２１を使用者の頭部に巻き付けた後、二つの面状ファスナー２２，２２を互いに取着することにより、袋状体１０を使用者の頭部に容易に装着することができる。このとき、袋状体１０は後頭部の側に配置される（図５参照）。尚、ここでは、ベルト２１を第二案内シート１２の上端部に取り付けているが、一般に、ベルト２１は、第一案内シート１１の上端部及び第二案内シート１２の上端部のうちいずれに取り付けてもよい。
【００２１】  また、ベルト２１のうち面状ファスナー２２が設けられた端部に隣り合う所定部位には、第二間隔保持手段（排出口用間隔保持手段）６０が設けられている。すなわち、第二間隔保持手段６０は、装着手段２０を用いて袋状体１０を使用者の頭部に装着したときに頭部を介して袋状体１０と反対側に位置するベルト２１（装着手段２０）の所定部位に設けられている。第一実施形態では、第二間隔保持手段６０として、第一間隔保持手段５０と同様に、耐圧性を有するスペーサを用いることにしている。この第二間隔保持手段６０は、帽子を被ったときに、当該所定部位と帽子との間隔を略一定に保持する役割を果たす。そして、第二間隔保持手段６０によって形成される一定間隔の開口端は、帽子内に導入された空気を外部に排出する空気排出口として機能することになる。このように空気排出口を空気放出口１３からできるだけ遠いところに設けることにより、空気放出口１３から帽子内に導入された空気を、頭部全体に行き渡らせることができるので、頭部の蒸れを効率よく解消することができる。
【００２２】  更に、図１（ａ）に示すように、ベルト２１のうち袋状体１０と第二間隔保持手段６０との間の部位の上部には、空気漏れ防止手段７０が設けられている。空気漏れ防止手段７０としては、耐圧性が小さく、空気透過性が低い素材のもの、例えばスポンジ等を用いることができる。この空気漏れ防止手段７０は、帽子を被ったときに、空気漏れ防止手段７０の設けられたベルト２１の部位と帽子との間の隙間から帽子内に導入された空気が漏れ出すのを防止するためのものである。また、ベルト２１のうち左側の空気漏れ防止手段７０が設けられた部位の下側には、切り込み１７から引き出されたケーブル４１をベルト２１の先端側へ誘導するケーブル留め２５が設けられている。
【００２３】  送風手段３０は、開口孔１５の周囲における第一案内シート１１の端部に取り付けられる。この送風手段３０は、外部の空気を袋状体１０の内部に取り込み、第一案内シート１１及び第二案内シート１２に沿って袋状体１０の開放されている端部の側、すなわち袋状体１０の上方の側に送出し、空気放出口１３から放出するためのものである。具体的には、送風手段３０として、送風圧力の小さなプロペラファンが用いられる。図４は送風手段３０の概略側面図である。この送風手段３０は、図４に示すように、筒状部３１と、筒状部３１の上端から筒状部３１の側面と略垂直な方向に突出するフランジ部３２とを有する。筒状部３１の外径は、第一案内シート１１の開口孔１５の直径と略同じである。また、筒状部３１内には、プロペラ及びモータが収納されている。一方、フランジ部３２の下面には面状ファスナー３３が取り付けられている。筒状部３１を第一案内シート１１の表側から開口孔１５に挿入し、フランジ部３２に取り付けられた面状ファスナー３３と開口孔１５の周囲における第一案内シート１１の端部に設けられた面状ファスナー１６とを互いに取着することにより、送風手段３０が第一案内シート１１に取り付けられる。このように、第一実施形態では、送風手段３０を袋状体１０に着脱自在に取り付けている。
【００２４】  電源手段４０は、送風手段３０を駆動するためのものである。電源手段４０としては、例えば乾電池やリチウムイオン電池等を用いることができる。図１に示すように、電源手段４０と送風手段３０とはケーブル４１を介して電気的に接続されている。第一実施形態の帽子内換気装置１を使用する際には、電源手段４０は使用者の服の胸ポケットに入れられる。したがって、送風手段３０に接続されたケーブル４１は、袋状体１０の切り込み１７から外側に引き出され、ベルト２１に沿って一定距離だけベルト２１のケーブル留め２５に留められる。そして、そのケーブル４１は、ベルト２１の所定位置から下方に垂れ下がり、服の胸ポケットに入れられた電源手段４０に接続されている。
【００２５】  次に、第一実施形態の帽子内換気装置１の使用方法を説明する。図５（ａ）は第一実施形態の帽子内換気装置１を使用者の頭部に装着したときの様子を示す概略側面図、図５（ｂ）はその帽子内換気装置１の上に帽子を被ったときの様子を示す概略側面図である。
【００２６】  まず、使用者は、ベルト２１の両端部を手で持ち、袋状部１０と後頭部とが相対するように帽子内換気装置１を頭部に配置する。次に、ベルト２１の両端部を額の側に持って行き、ベルト２１を頭部に巻き付ける。そして、ベルト２１の両端部に設けられた二つの面状ファスナー２２，２２を互いに取着することにより、図５（ａ）に示すように、袋状体１０（帽子内換気装置１）を使用者の頭部に装着する。その後、使用者は、図５（ｂ）に示すように、帽子内換気装置１の上に帽子Ｘを被る。ここで、帽子Ｘとしては、既成の帽子を用いることができる。このとき、第二間隔保持手段６０により、使用者の額に位置するベルト２１の部位と帽子Ｘとの間に空気排出口が形成される。また、空気漏れ防止手段７０により、使用者の側頭部に位置するベルト２１の部位と帽子Ｘとの間の隙間は埋められている。尚、帽子Ｘを被る際には、帽子Ｘの後端部で袋状体１０の空気放出口１３を覆うようにする。
【００２７】  電源手段４０のスイッチを入れると、送風手段３０が作動し、図５（ｂ）に示すように、その送風手段３０から多量の空気が袋状体１０内に取り込まれる。そして、この取り込まれた空気は、袋状体１０内を上方に移動し、空気放出口１３から放出される。空気放出口１３の間隔は第一間隔保持手段５０により略一定に保持されているので、空気放出口１３から放出される空気は帽子Ｘ内にスムースに導入される。帽子Ｘ内に導入された空気は、帽子Ｘの側部から漏れることなく、帽子Ｘと頭部との間に生じる空間を流通し、帽子Ｘの前部に形成された空気排出口から外部に放出される。このように、帽子Ｘと頭部との間に空気を絶えず流通させることにより、帽子Ｘ内を換気することができると共に、頭部から出た汗を気化し、その気化熱で頭部を冷却することができる。
【００２８】  尚、第一実施形態の帽子内換気装置１の機能を効率よく発揮させるためには、帽子Ｘとして、その帽子Ｘと使用者の頭部との間にある程度の隙間（例えば１ｃｍ程度の隙間）が生じるような大きさのものであって、通気性を有しない素材で作製されたものを用いる必要がある。予め帽子と頭部との間にある程度の隙間を形成しておくことにより、この隙間が空気流通路となり、袋状体１０から帽子内に導入された空気を空気流通路内にスムースに流通させることができるからである。また、例えば、表面に空気を流通させるための孔等が形成された帽子や、麦わら帽子のように通気性の大きな素材で作製された帽子を用いたのでは、袋状体１０から帽子内に導入された空気の一部が外部に漏れ出てしまうので、その分だけ冷却効果が低下してしまうからである。更に、頭部の大きさに対してあまりに大きな帽子を被ったのでは、外観上の違和感が生じてしまう。このため、第一実施形態の帽子内換気装置１とともに用いる帽子としては、適正なサイズのものを用いる必要がある。
【００２９】  次に、送風手段３０と空気放出口１３又は空気排出口の面積、空気流通路の断面積との関係について説明する。
【００３０】  第一実施形態では、送風手段３０として、軽量で且つ消費電力が小さいもの、例えばプロペラの直径が５ｃｍであるプロペラファンを使用している。この場合、送風手段３０の空気取込口の有効面積は約１６ｃｍ２である。また、空気放出口１３の面積Ｓは、袋状体１１の上端部の幅Ｌ１と、第一案内シート１１と第二案内シート１２との間隔（第一間隔保持手段５０の幅）Ｌ２とを用いて、Ｓ＝Ｌ１×Ｌ２により概算することができる（図２参照）。送風手段３０により袋状体１１内に取り込まれた空気は空気放出口１３から放出されるので、空気放出口１３の面積が少なくとも送風手段３０の空気取込口の有効面積と同程度であれば、空気を効率よく帽子内に導入することができる。したがって、直径約５ｃｍのプロペラを有する送風手段３０を用いた場合、理想的には、空気放出口１３の面積が少なくとも約１６ｃｍ２であればよい。また、同様に、空気排出口の面積及び空気流通路の断面積もそれぞれ、少なくとも送風手段３０の空気取込口の有効面積と同程度であればよい。
【００３１】  ところで、第一実施形態では、第一間隔保持手段５０としてスペーサを用いている。スペーサ自身の大きさを考慮すると、空気が通過できる空気放出口１３の実質的な面積（空気放出口１３の有効面積）は上記面積Ｓよりも小さくなる。例えば、袋状体１１の上端部の幅Ｌ１を約２０ｃｍとし、第一間隔保持手段５０の幅Ｌ２を約０．８ｃｍとした場合、空気放出口１３の有効面積は、空気放出口１３の面積Ｓ＝１６ｃｍ２の約７０％である約１１ｃｍ２となる。しかしながら、本発明者等は、第一間隔保持手段５０として上述のスペーサを用いて空気放出口１３を形成した場合に、空気を帽子内に十分導入することができることを確認した。したがって、空気放出口１３の有効面積が送風手段３０の空気取込口の有効面積の少なくとも約７０％程度であれば、空気を帽子内に導入し、帽子内換気装置１の機能を十分に発揮させることができる。同様に、空気排出口の有効面積及び空気流通路の有効断面積もそれぞれ、送風手段３０の空気取込口の有効面積の少なくとも約７０％程度であればよい。尚、例えば、頭部に密着するような帽子は、空気流通路の有効断面積が略ゼロとなるので、第一実施形態の帽子内換気装置１とともに使用することはできない。
【００３２】  第一実施形態の帽子内換気装置は、袋状体と、袋状体を使用者の頭部に装着するための装着手段と、空気を袋状体の内部に取り込んで袋状体の空気放出口から放出する送風手段と、空気放出口の間隔を略一定に保持する第一間隔保持手段とを備えることにより、この帽子内換気装置の上に例えば既成の帽子を被った場合、送風手段によって袋状体の内部に取り込まれた空気を袋状体の空気放出口から帽子内に導いて、帽子内を換気することができるので、使用者の頭部の蒸れを十分に解消することができる。また、第一実施形態では、面状ファスナーにより送風手段を袋状体に着脱自在に取り付けたことにより、送風手段を簡単に取り外して、袋状体を洗濯することができる。
【００３３】  更に、第一実施形態の帽子内換気装置では、空気放出口の有効面積及び空気排出口の有効面積をそれぞれ、少なくとも送風手段の空気取込口の有効面積の約７０％とすると共に、適正な仕様の帽子を用いて空気流通路の有効断面積を送風手段の空気取込口の有効面積の少なくとも約７０％とすることにより、空気が空気放出口を通過する際、空気流通路内を流通する際、及び、空気排出口を通過する際に、空気の受ける抵抗を小さくすることができる。このため、送風手段として、低圧力のプロペラファンを使用することができるので、送風手段の消費電力を低減することができると共に送風手段のノイズを軽減することができる。
【００３４】  尚、第一実施形態では、帽子内の換気効率及び頭部の冷却効率をよくするために、ベルトの所定部位に第二間隔保持手段を設けて、ベルトの当該所定部位と帽子との間に空気排出口を形成している。しかしながら、例えば、帽子として、その前側の部位に空気排出のための開口部が形成されているものや、その前側の部位の縁と額との間に隙間が生じる形状のものを用いる場合には、当該開口部や当該隙間から帽子内に放出された外気を効率よく排出することができるので、必ずしも第二間隔保持手段をベルトに設けて、空気排出口を形成する必要はない。
【００３５】（第一実施形態の変形例）  次に、第一実施形態の変形例について説明する。図６は第一実施形態の変形例である帽子内換気装置を使用者の頭部に装着したときの様子を示す概略側面図である。尚、この変形例において、上述した第一実施形態のものと同一の機能を有するものには、同一の符号を付すことにより、その詳細な説明を省略する。
【００３６】  図６に示すように、第一実施形態の変形例である帽子内換気装置１ａは、袋状体１０と、装着手段２００と、送風手段３０と、電源手段４０と、第一間隔保持手段５０と、第二間隔保持手段６０と、空気漏れ防止手段７０とを備える。上記第一実施形態では、装着手段として、使用者の頭部に巻き付けるためのベルトと、そのベルトの両端部に設けられた二つの面状ファスナーとを有するものを用いた場合について説明したが、この変形例では、装着手段２００として、通気性を有する素材で作製された、使用者の頭部を覆うための帽状体を用いている。具体的に、この帽状体は、例えばスイミングキャップのように、伸縮性の有するメッシュ状の素材を用いて略半円球状に形成されている。このため、帽状体を被ると、髪の毛が帽状体によって押さえられ、帽状体が頭部に密着する。この帽状体の後部には第一実施形態と同様に袋状体１０が取り付けられている。具体的には、帽状体の後端部の一部が第二案内シート１２の上端部に縫い付けられている。また、帽状体には、第一実施形態と同様に、第二間隔保持手段６０、空気漏れ防止手段７０、ケーブル留め２５が設けられている。
【００３７】  第一実施形態の変形例におけるその他の構成は上記第一実施形態と同様であり、この変形例の帽子内換気装置は、上記第一実施形態の帽子内換気装置と同様の作用・効果を奏する。特に、この変形例では、装着手段として帽状体を用いたことにより、帽状体で髪の毛を押さえて、帽状体が頭部に密着するので、帽子と帽状体の間に空気流通路をしっかりと確保することができるので、帽子内を効果的に換気することができると共に、頭部を効率よく冷却することができる。
【００３８】［第二実施形態］  次に、本発明の第二実施形態である帽子内換気装置について説明する。図７は第二実施形態である帽子内換気装置を使用者の頭部に装着したときの様子を示す概略側面図である。尚、第二実施形態において、上述した第一実施形態のもの又はその変形例のものと同一の機能を有するものには、同一の符号を付すことにより、その詳細な説明を省略する。
【００３９】  第二実施形態の帽子内換気装置は、主に屋内での軽作業時に使用されるものである。図７に示すように、この帽子内換気装置１００は、袋状体１０と、装着手段２００と、送風手段３０と、電源手段４０（不図示）と、第二間隔保持手段６０と、空気漏れ防止手段７００と、第三間隔保持手段８００と、外帽状体（第一帽状体）９００とを備える。
【００４０】  袋状体１０は、第一案内シート１１と第二案内シート１２とを用いて上方が開放している袋の形状に形成されたものである。第一案内シート１１の下部には、送風手段３０が取り付けられている。送風手段３０はケーブルを介して電源手段４０と接続されている。電源手段４０は送風手段３０を駆動するためのものである。
【００４１】  装着手段２００は、袋状体１０を使用者の頭部に装着するためのものである。第二実施形態では、装着手段２００として、第一実施形態の変形例と同様に、通気性を有する素材で作製された、使用者の頭部を覆うための帽状体（第二帽状体）を用いている。この帽状体は、袋状体１０の開放している端部のうち袋状体１０を使用者の頭部に装着したときに内側に位置する部分に連なっている。具体的に、帽状体の後端部は、第二案内シート１２の上端部に縫い付けられている。尚、装着手段２００としての帽状体を、外帽状体９００と区別するため、内帽状体とも称することにする。
【００４２】  外帽状体９００は、通気性を有しない素材で作製された、使用者の頭部を覆うためのものである。この外帽状体９００は、袋状体１０の開放している端部のうち装着手段２００が設けられた部分と異なる部分であって袋状体１０を使用者の頭部に装着したときに外側に位置する部分（第一案内シート１１）に連なっている。外帽状体９００と装着手段２００としての内帽状体との間の所定箇所には、第三間隔保持手段（頭部用間隔保持手段）８００が設けられている。第三間隔保持手段８００は、外帽状体９００と装着手段２００との間に空気を流通させるための空間（空気流通路）を形成するために外帽状体９００と装着手段２００との間隔を略一定に保持するものである。ここでは、第三間隔保持手段８００として、第二間隔保持手段６０と同様に、耐圧性を有するスペーサを用いることにしているが、耐圧性の低いスペーサを用いることも可能である。
【００４３】  第二実施形態では、外帽状体９００で使用者の頭部を覆う場合、外帽状体９００は内帽状体の外側に配置される。このとき、使用者の額に対応する内帽状体の部位と外帽状体９００の部位との間に、第二間隔保持手段６０が設けられている。かかる第二間隔保持手段６０により、外帽状体９００と内帽状体との間の空間に導入された空気を外部に排出する空気排出口が形成されることになる。また、外帽状体９００及び内帽状体のうち袋状体１０と第二間隔保持手段６０との間の部位においては、外帽状体９００の下端部と内帽状体の下端部とが縫い付けられている。これにより、外帽状体９００を被ったときに、当該縫い付けられた部分から空気が漏れるのを防止することができる。すなわち、第二実施形態では、外帽状体９００及び内帽状体のうち袋状体１０と第二間隔保持手段６０との間の部位において、外帽状体９００の下端部と内帽状体の下端部とを縫い付けている部分が、空気漏れ防止手段７００である。
【００４４】  また、第二実施形態では、帽子内換気装置１００の上に帽子を被ることを想定していない。図７に示すように、帽子内換気装置１００それ自体は、一見して帽子と分かるような形状になっていない。実際、この帽子内換気装置１００は、その外観をあまり重視せず且つ帽子を必要としないという簡易的な使い方を追求して案出されたものである。
【００４５】  尚、第二実施形態の帽子内換気装置１００の上には帽子を被らないので、第二間隔保持手段６０及び第三間隔保持手段８００は必ずしも耐圧性を有する必要はない。この場合には、第二間隔保持手段６０及び第三間隔保持手段８００として、スペーサではなく、例えば、空気排出口や空気流通路が形成される部位の布を縮めて形成されたギャザーを利用することができる。但し、帽子内換気装置１００の上に帽子を被るようにしてもよく、この場合には、第二間隔保持手段６０及び後頭部に対応する外帽状体９００の部位に設けられる第三間隔保持手段８００として、耐圧性を有するものを用いる必要がある。
【００４６】  次に、第二実施形態の帽子内換気装置１００の使用方法を説明する。  使用者は、袋状部１０と後頭部とが相対するようにして、内帽状体及び外帽状体９００を被ることにより、図７に示すように、袋状体１０（帽子内換気装置１００）を頭部に簡単に装着することができる。次に、使用者は、電源手段４０のスイッチを入れると、送風手段３０が作動し、その送風手段３０から多量の空気が袋状体１０内に取り込まれる。そして、この取り込まれた空気は、袋状体１０内を上方に移動し、袋状体１０の開放している端部の端縁で形成される空気放出口から、外帽状体９００内にスムースに導入される。外帽状体９００内に導入された空気は、内帽状体及び外帽状体９００の側部から漏れることなく、空気流通路を流通し、内帽状体及び外帽状体９００の前部に形成された空気排出口から外部に放出される。このように、内帽状体と外帽状体９００との間に空気を絶えず流通させることにより、外帽状体９００内を換気することができると共に、頭部から出た汗を気化し、その気化熱で頭部を冷却することができる。
【００４７】  第二実施形態の帽子内換気装置は、袋状体と、袋状体を使用者の頭部に装着するための装着手段としての、通気性を有する素材で作製された、使用者の頭部を覆うための内帽状体と、袋状体の開放している端部のうち袋状体を使用者の頭部に装着したときに外側に位置する部分に連なり、通気性を有しない素材で作製された、使用者の頭部を覆うための外帽状体と、外帽状体と内帽状体との間隔を略一定に保持する第三間隔保持手段と、空気を袋状体の内部に取り込んで袋状体の空気放出口から放出する送風手段とを備えることにより、送風手段によって袋状体の内部に取り込まれた空気を袋状体の空気放出口から、外帽状体内に導いて、外帽状体内を換気することができるので、使用者の頭部の蒸れを十分に解消することができる。
【００４８】  また、第二実施形態では、帽子を被ることなく、使用者の頭部の蒸れを解消することができる。したがって、第二実施形態の帽子内換気装置は、主に屋内で作業を行う際に使用するのに適している。ここで、第二実施形態の帽子内換気装置を装着した後に、帽子を被るようにしてもよい。この場合、帽子としては、帽子内換気装置の上に被ることができるものであれば、大きさ・形状等に関して特段の制限はなく、どのような帽子を用いてもよい。
【００４９】  尚、第二実施形態の帽子内換気装置においては、外帽状体が帽子であると考えることもできる。この場合には、第二実施形態の帽子内換気装置を、換気機能を備える帽子として捉えることができる。また、第二実施形態では、帽子内換気装置の外観をあまり重視してしない場合について説明したが、帽子内換気装置を、一見して帽子と分かるような形状に形成して、その外観をよくしてもよい。これにより、当該帽子内換気装置は、換気機能の備わった専用の帽子として使用することができる。
【００５０】（第二実施形態の第一変形例）  次に、第二実施形態の第一変形例について説明する。図８は第二実施形態の第一変形例である帽子内換気装置を使用者の頭部に装着したときの様子を示す概略側面図である。尚、この第一変形例において第一実施形態又は第二実施形態のものと同様の機能を有するものには同一の符号又は対応する符号を付することにより、その詳細な説明を省略する。
【００５１】  図８に示すように、第二実施形態の第一変形例である帽子内換気装置１００ａは、袋状体１０と、送風手段３０と、電源手段４０（不図示）と、第一間隔保持手段５０と、第二間隔保持手段６０と、空気漏れ防止手段７０と、第三間隔保持手段８００と、外帽状体９００とを備える。この第一変形例の帽子内換気装置１００ａが第二実施形態の帽子内換気装置１００と異なる点は、内帽状体を設けていない点、第一実施形態のように、袋状体１０の開放している端部に第一間隔保持手段５０を設けている点である。
【００５２】  この帽子内換気装置１００ａには内帽状体が設けられていないため、第三間隔保持手段（スペーサ）８００は外帽状体９００に取り付けられている。したがって、外帽状体９００を被ると、第三間隔保持手段８００が直接、使用者の頭部に接し、外帽状体９００と使用者の頭部との間に空気流通路が形成される。尚、この第一変形例では、外帽状体９００及び第三間隔手段８００が装着手段としての役割を果たすことになる。
【００５３】  また、帽子内換気装置１００ａに内帽状体が設けられていないので、袋状体１０の開放している端部の端縁で形成される空気放出口から放出される空気が外帽状体９００内にスムースに導入されないおそれがある。このため、袋状体１０の開放している端部に第一間隔保持手段５０を設けて、空気放出口の間隔を一定に保持することにより、空気放出口から放出される空気が外帽状体９００内にスムースに導入されるようにしている。
【００５４】  第二実施形態の第一変形例におけるその他の構成は上記第二実施形態と同様であり、この第一変形例の帽子内換気装置は、上記第二実施形態の帽子内換気装置と同様の作用・効果を奏する。
【００５５】（第二実施形態の第二変形例）  次に、第二実施形態の第二変形例について説明する。図９は第二実施形態の第二変形例である帽子内換気装置の概略底面図である。尚、この第二変形例において第一実施形態又は第二実施形態のものと同様の機能を有するものには同一の符号又は対応する符号を付することにより、その詳細な説明を省略する。
【００５６】  図９に示すように、第二実施形態の第二変形例である帽子内換気装置１００ｂは、袋状体１０と、装着手段２００ａと、送風手段３０（不図示）と、電源手段４０（不図示）と、第一間隔保持手段５０と、第二間隔保持手段６０と、空気漏れ防止手段７００と、第三間隔保持手段８００ａと、外帽状体９００とを備える。この第二変形例の帽子内換気装置１００ｂが第二実施形態の帽子内換気装置１００と異なる点は、装着手段２００ａとして、使用者の頭部に巻くためのヘッドバンドを用いると共に、第三間隔保持手段８００ａとして、ヘッドバンドに設けられたハンモックを用いた点である。
【００５７】  装着手段２００ａとしてのヘッドバンドは、通気性及び伸縮性を有する帯状のものである。このヘッドバンドは、袋状体１０の開放されている端部の一部、例えば第二案内シート１２の上端部に縫い付けられている。ここでは、ヘッドバンドとして伸縮性を有するものを用いているが、伸縮性を有しないものを用いることもできる。第三間隔保持手段８００ａとしてのハンモックは、通常の作業用ヘルメットに使用されるハンモックと同様な機能を有するものであり、ヘッドバンドに設けられている。このハンモックは外帽状体９００の内側に配置されている。ここで、外帽状体９００は、第一案内シート１１の上端部に縫い付けられている。また、ハンモックと外帽状体９００との間には一定の間隔がある。これは、ちょうど通常の作業用ヘルメットに使用されるハンモックと当該ヘルメットとの間に間隔が生じることと同様である。これにより、外帽状体９００と使用者の頭部との間に空気流通路が形成される。このように、第二変形例では、ハンモックが、外帽状体９００と使用者の頭部との間に空気を流通させる空間を形成するために外帽状体９００と使用者の頭部との間隔を略一定に保持する第三間隔保持手段８００ａとしての役割を果たす。
【００５８】  また、第二変形例でも、第一実施形態と同様に、第一間隔保持手段５０を袋状体１０の開放している端部に設けている。尚、第一間隔保持手段５０は、第一案内シート１１に連なるヘッドバンドと第二案内シート１２に連なる外帽状体９００との間に設けるようにしてもよい。
【００５９】  この第二変形例では、外帽状体９００の前側の端縁部とそれに対応するヘッドバンドの部位との間に、第二間隔保持手段６０が設けられ、かかる第二間隔保持手段６０により、外帽状体９００の前側の端縁には、外帽状体９００内に導入された空気を外部に排出する空気排出口が形成されている。また、外帽状体９００の左右の端縁部とそれに対応するヘッドバンドの部位とは縫い付けられており、外帽状体９００及びヘッドバンドにおける当該縫い付けられている部分が、空気漏れ防止手段７００である。
【００６０】  第二実施形態の第二変形例におけるその他の構成は上記第二実施形態と同様であり、この第二変形例の帽子内換気装置は、上記第二実施形態の帽子内換気装置と同様の作用・効果を奏する。
【００６１】［その他の実施形態］  尚、本発明は上記の各実施形態及び各変形例に限定されるものではなく、その要旨の範囲内において種々の変形が可能である。
【００６２】  例えば、上記の各実施形態及び各変形例では、第一案内シートと第二案内シートとを縫合することにより袋状体を作製する場合について説明したが、もちろん、一枚のシートを用いて袋状体を作製するなど、各種の方法で袋状体を作製することが可能である。
【００６３】  また、上記の各実施形態及び各変形例では、送風手段を第一案内シートに取り付ける場合について説明したが、送風手段を、首筋と対向する第二案内シートの部位に取り付けるようにしてもよい。袋状体を頭部に取り付けたときには、首筋と第二案内シートとの間に隙間が生じるので、第二案内シートの当該部位に送風手段を設けても、その送風手段が空気を取り込むのに何ら支障はないからである。しかも、送風手段を第二案内シートに設けることにより、使用者が帽子内換気装置を装着して屋外で作業を行う場合に、雨が直接、送風手段に入り込んでしまうのを防ぐことができる。
【００６４】  また、上記の各実施形態及び各変形例では、面状ファスナーを用いて送風手段を袋状体に着脱自在に取り付ける場合について説明したが、送風手段の着脱は、面状ファスナーを用いる方法に限らず、例えば専用の部品等を用いる方法等、さまざまな方法で行うようにしてもよい。
【００６５】  また、上記の各実施形態及び各変形例では、電源手段から送風手段に電力を供給するためのケーブルが、袋状体に形成された切り込みから帽子内換気装置の縁部を経由して、耳の付近から垂れ下がり、そして、胸のポケットに収納された電源手段に接続されている場合について説明したが、ケーブルの引き回し方は、当然、これに限定されるものではない。
【００６６】  更に、上記の各実施形態及び各変形例では、電源手段として乾電池等を用いた場合について説明したが、電源手段としては例えば太陽電池を用いることができる。
【００６７】  また、上記の第一実施形態では、第一間隔保持手段を第一案内シートの上端部と第二案内シートの上端部との間に設けた場合について説明したが、装着手段を袋状体に取り付ける位置や方法を変更した場合には、第一間隔保持手段を、袋状体の開放している端部の付近に位置している装着手段に設けることも可能である。
【００６８】  また、上記の第二実施形態及びその変形例では、第三間隔保持手段としてスペーサやハンモックを用いた場合について説明したが、これらは例示であり、当然、第三間隔保持手段としては、外帽状体と装着手段及び／又は使用者の頭部との間隔を略一定に保持することができるものであれば、他の手段を用いてもよい。
【００６９】  また、上記の第一実施形態の帽子内換気装置において、その上に被る帽子を、袋状体の開放している端部における第一案内シートに連なるように袋状体及び装着手段に取り付けておくようにしてもよい。このように、帽子内換気装置とその上に被る帽子とを一体化した場合には、帽子内換気装置を頭部に装着することが帽子を被ることでもある。
【００７０】  更に、本発明の帽子内換気装置は、帽子内に空気を送り込んで帽子内を換気するものであるが、帽子の代わりにヘルメットに対しても適用することができる。
【産業上の利用可能性】
【００７１】  以上説明したように、本発明の帽子内換気装置では、送風手段によって袋状体の内部に取り込まれた空気を袋状体の空気放出口から帽子又は第一帽状体内に導いて、帽子又は第一帽状体内を換気することができるので、使用者の頭部の蒸れを十分に解消することができる。したがって、本発明は、帽子を着用して作業を行う場合に使用するのに好適である。
【符号の説明】
【００７２】  １，１ａ，１００，１００ａ，１００ｂ  帽子内換気装置１０  袋状体１１  第一案内シート１２  第二案内シート１３  空気放出口１５  開口孔１６  面状ファスナー１７  切り込み２０，２００，２００ａ  装着手段２１  ベルト２２  面状ファスナー（相互取着手段）２５  ケーブル留め３０  送風手段３１  筒状部３２  フランジ部３３  面状ファスナー４０  電源手段４１  ケーブル５０  第一間隔保持手段（放出口用間隔保持手段）６０  第二間隔保持手段（排出口用間隔保持手段）７０，７００  空気漏れ防止手段８００，８００ａ  第三間隔保持手段（頭部用間隔保持手段）９００  上帽体（第一帽状体）Ｘ  帽子
【図１】
2015162695.tif 000003
【図２】
2015162695.tif 000004
【図３】
2015162695.tif 000005
【図４】
2015162695.tif 000006
【図５】
2015162695.tif 000007
【図６】
2015162695.tif 000008
【図７】
2015162695.tif 000009
【図８】
2015162695.tif 000010
【図９】
2015162695.tif 000011
【国際調査報告】
2015162695.tif 000012
2015162695.tif 000013
2015162695.tif 000014
2015162695.tif 000015